(57)【要約】      （修正有）【課題】使用者に対して、頸部への負担を軽減した自然な姿勢で支持することにより快適な睡眠を提供する。【解決手段】略楔状の台座ブロック体３と略楔状の背当てブロック体４を相対する背高部位３Ｂ、４Ｂ側で突き合わせて受け凸部を構成するとともに台座ブロック体３の傾斜主面３Ａ上に枕体２を載置する。枕体２に頭部を載せて寝る使用者に対して背当てブロック体４により背中から肩口をゆるやかに持ち上げて背筋や腰を伸ばした姿勢とするとともに、受け凸部により首筋を伸ばして咽喉を開き楽な呼吸やのどの渇きを抑制する。【選択図】図２
0003132068.tif 000002
【実用新案登録請求の範囲】
【請求項１】
布袋に適宜の充填材を充填して形成された枕体と、
上記枕体の充填材よりも硬い低反発素材が用いられ、一方側から他方側に向かって次第に甲高とすることにより上記枕体を載置する傾斜主面を構成した全体略楔状に形成されるとともに、甲高部位側の上記傾斜主面に略１／４円形断面の第１受け凸部半体を一体に形成した台座ブロック体と、
上記枕体よりも硬くかつ上記台座ブロック体よりも柔かな低反発素材が用いられ、一方側から他方側に向かって次第に甲高とすることにより使用者の肩口から背中部分を支持する傾斜主面を構成した全体略楔状に形成されるとともに、甲高部位側の上記傾斜主面に略１／４円形断面の第２受け凸部半体を一体に形成した背当てブロック体とから構成され、
上記枕体を載置した上記台座ブロック体に対して上記背当てブロック体が、それぞれの甲高部位側の相対する側面を突き合わせて組み合わされることにより、上記第１受け凸部半体と上記第２受け凸部半体が突き合わされて長さ方向の略中央部において使用者の首筋を支持する断面略半円形の受け凸部を構成することを特徴とする枕装置。
【請求項２】
上記背当てブロック体が、上記台座ブロック体に対して底面間を連結する第１面ファスナ片により組み合わせ状態を保持されるとともに、上記台座ブロック体に載置された上記枕体に対して上記台座ブロック体との突き合わせ側面間を経由して底面間を連結する第２面ファスナ片により組み合わせ状態を保持され、
上記背当てブロック体に対して上記第１面ファスナ片と上記第２面ファスナ片が、それぞれの一端側を上記背当てブロック体の底面において交互に位置して着脱自在に設けられることを特徴とする請求項１に記載の枕装置。
【請求項３】
少なくとも上記背当てブロック体に、外周縁に沿って面取り部位が形成されることを特徴とする請求項１又は請求項２に記載の枕装置。
【考案の詳細な説明】
【技術分野】
【０００１】
本考案は、使用者に対して快適な安眠を提供する枕装置に関する。
【背景技術】
【０００２】
枕は、快適な安眠や健康生活の極めて重要なアイテムであり、本来寝た状態でも立った状態と同等の自然な姿勢とすることにより頸椎を保持する基本的な機能を有しており、例えば高さ、素材、硬さや感触或いは大きさ等の様々な条件により選択される。枕は、個々の使用者が体に合わないものを使用することにより首、背中、或いは肩、腰等の身体各部に大きな負担をかけてこりや痛みを引き起こす大きな原因となる。一方、枕は、かかる機能的な「体に適合する」条件ばかりでなく、個々の使用者が慣れ等による感覚的な寝やすさも大きな要件として選択される。
【０００３】
枕には、従来様々な形態や素材を有するものが提供されている。例えば、特許文献１には、タイマ或いは手動により電動で高さが可変可能な枕と敷布団を組み合わせた寝具が開示されている。特許文献２には、側面に湾曲した傾斜状凹部を形成し、この傾斜状凹部に身体の一部が当たることで隙間を吸収閉塞して補整される体位安定補整枕が開示されている。なお、寝具については、例えば敷布団或いはマット等の長尺ものについて、複数の折り畳み部位を設けて未使用時に折り畳むことにより小型化が図られるようにしたものも提供されている（例えば特許文献３を参照）。
【０００４】
【特許文献１】特開２０００−２７０９８８号公報
【特許文献２】特開２００１−１１２５９９号公報
【特許文献３】実開平６−５５４５６号公報
【考案の開示】
【考案が解決しようとする課題】
【０００５】
ところで、従来の枕は、もっぱら頭部のみを支えるものでありかつある程度の高さと変形自在な構造であることから、使用者が頭部を深く載せて使用した場合に頸部を過度な角度で略へ字状に曲げた状態とするとともに浅く載せて使用した場合に頸部を過度な角度で略逆へ字状に曲げた状態とする。従来の枕は、このために使用者の頸部に負担を与えて快適な安眠を妨げるとともに身体各部に上述した痛みの発生等を生じさせてしまう。
【０００６】
上述した特許文献１或いは特許文献２に開示される枕は、ある程度頸部を支える部位を有して頭部から背中に向かって一定の傾斜角が付されるように構成することにより、頸部における大きな曲がりが抑制されるようにする。また、かかる枕は、肩口から掛け布団の中への風の入り込みを抑制し、冬期等において保温性の向上が図られるようにする。
【０００７】
しかしながら、上述した各先願に開示された枕においては、頭部を支える部位と背中を支える部位とが一体に構成された構造であることから、比較的柔らかで頭部を包み込むようにして支える枕部位とある程度の反発力を以って背中を支える敷き布団部位の両方の特性を備えることが困難であった。したがって、かかる各先願に開示された枕においては、いずれか一方の特性を犠牲にせざるを得ず、使用者が快適に安眠できないことから普及されるていない。また、かかる枕は、全体として大形であり、取り扱いが面倒であるとともに未使用時に押し入れ等にしまう場合に大きなスペースを占有するといった問題もある。さらに、かかる枕は、もっぱら頭部と背中をなだらかな状態で支持する構造であって頸部自体を直接最適な状態で支持する構造では無いことから、頸部に大きな負担をかけて安眠の妨げや身体各部の痛み発生等を解消し得ない。
【０００８】
したがって、本考案は、使用状態において使用者の頸部への負担を軽減し自然な姿勢に支持することにより快適な安眠を提供する枕装置を提供することを目的に提案されたものである。
【課題を解決するための手段】
【０００９】
上述した目的を達成する本考案にかかる枕装置は、布袋に適宜の充填材を充填して形成された枕体と、この枕体を所定の角度を付して載置させる台座ブロック体と、使用者の肩口から背中部分を支持する背当てブロック体を組み合わせて構成される。枕装置は、枕体が、布袋内に従来一般に用いられる充填材、例えばそば殻、籾殻、羽毛等の天然素材や、プラスチック粒体或いはフォームラバー等の合成樹脂材等からなる適宜の充填材を充填して全体略矩形マット状に形成される。枕装置は、台座ブロック体が、枕体の充填材よりも硬く弾力性や通気性を有する低反発素材、例えばウレタンフォームや発泡スチロール等の発泡樹脂材等が用いられ、一方側から他方側に向かって次第に甲高とすることにより枕体を載置する傾斜主面を構成した全体略楔状に形成されるとともに、甲高部位側の傾斜主面に幅方向の全域に亘って突出する略１／４円形断面の第１受け凸部半体が一体に形成される。枕装置は、背当てブロック体が、枕体よりも硬くかつ台座ブロック体よりも柔かな低反発素材、例えば柔軟性や弾力性或いは通気性を有するウレタンフォーム等が用いられ、一方側から他方側に向かって次第に甲高とすることにより使用者の肩口から背中部分を支持する傾斜主面を構成した全体略楔状に形成されるとともに、甲高部位側の傾斜主面に幅方向の全域に亘って突出する略１／４円形断面の第２受け凸部半体が一体に形成される。
【００１０】
枕装置は、枕体を載置した台座ブロック体に対して背当てブロック体が、それぞれの甲高部位側の相対する側面を突き合わせて組み合わされることにより、第１受け凸部半体と第２受け凸部半体が突き合わされて長さ方向の略中央部において幅方向の全域に亘って突出する断面略半円形の受け凸部を構成する。枕装置は、この状態で台座ブロック体の傾斜主面上に枕体を載置して用いられる。
【００１１】
枕装置においては、台座ブロック体の傾斜主面上に載置した枕体に頭部を載せて寝る使用者に対して、背当てブロック体により使用者の肩口部位から背中部位を次第に低い状態にして支持するとともに台座ブロック体と背当てブロック体により構成される受け凸部が頸部をやや押し上げるようにして支持する。枕装置においては、使用者に対して、台座ブロック体がその傾斜主面により枕体に載せた頭部を頂頭部側に向かって次第に低い状態とするとともに、背当てブロック体がその傾斜主面により背中部位から肩口部位をゆるやかに持ち上げて背筋や腰を伸ばした姿勢とするとともに頸椎を無理の無い状態に保持する。枕装置においては、使用者に対して受け凸部が首筋を伸ばして咽喉を開くようにして楽な呼吸やのどの渇きを抑制した状態で支持することにより快適な安眠を提供する。枕装置においては、硬さを異にする枕体と台座ブロック体と背当てブロック体が使用者の各部位にフィットすることで安定した状態に保持し、肩口からの風の入り込みを抑制して保温性の向上が図られるようにする。
【考案の効果】
【００１２】
本考案にかかる枕装置によれば、略楔状の台座ブロック体と略楔状の背当てブロック体とを甲高部位で相対して突き合わせて組み合わせることにより受け凸部を構成するとともに台座ブロック体の傾斜主面上に枕体を載置して用いることから、枕体に頭部を載せて寝る使用者に対して背当てブロック体により背中部位から肩口部位をゆるやかに持ち上げて背筋や腰を伸ばした姿勢とするとともに受け凸部により頸部をしっかりと支持して首筋を伸ばすことにより咽喉を開いて楽な呼吸やのどの渇きを抑制した状態で支持することにより快適な安眠を提供する。
【考案を実施するための最良の形態】
【００１３】
以下、本考案の実施の形態として図面に示した枕装置１について詳細に説明する。枕装置１は、図１乃至図３に示すように、それぞれ詳細を後述する独立の部材として形成された枕体２と、台座ブロック体３と、背当てブロック体４とを組み合わせて構成する。枕装置１は、詳細を後述するように台座ブロック体３と背当てブロック体４がそれぞれ略楔状に形成され、台座ブロック体３上に枕体２が載置される。枕装置１は、台座ブロック体３と背当てブロック体４が甲高部位側の相対する側面を突き合わせて折り畳み自在に組み合わされるとともに、この突き合わせ部位の上面に幅方向の全域に亘って突出する断面略半円形の受け凸部５を構成する。なお、枕装置１は、枕体２と台座ブロック体３と背当てブロック体４を布製等の袋体内に装填して用いるようにしてもよい。
【００１４】
枕装置１は、図１に示すように例えば敷き布団６上に載置され、頭部８を枕体２に載せて寝た使用者７の各部位を自然な状態で支持することにより快適な安眠を提供する。枕装置１は、使用者７が好みの充填材を充填した枕体２を用いることにより、違和感を生じさせることなく用いることを可能とする。枕装置１は、枕体２に載せた使用者７の頭部８を頂頭部８Ａ側に向かって次第に低い状態とするようにして支持する。枕装置１は、受け凸部５により使用者７の頸部９をやや持ち上げた状態で支持するとともに、頸部９を頂点として肩口１０から背中１１に向かって次第に低い状態とするようにして上半身部分を支持する。
【００１５】
枕装置１は、使用者７の頸部９をやや持ち上げた状態で支持することにより、首筋を伸ばして咽喉を開く状態とし、睡眠中に楽な呼吸が行われるようにするとともにのどの渇きが抑制されるようにする。枕装置１は、背中１１から肩口１０に向かってゆるやかに持ち上げた状態で支持することにより、使用者７の頸部９に大きな曲がりが生じないようにするとともに背筋や腰を伸ばした姿勢とすることにより首筋、背中１１、或いは肩や腰等の身体各部に対する負担を軽減してこりや痛みの発生を抑制する。枕装置１は、背当てブロック体４が肩口１０を支えることにより敷き布団６や図示しない掛け布団との間の隙間量が低減されるようにし、肩口１０からの風の入り込みを抑制して保温性の向上が図られるようにする。
【００１６】
枕体２は、従来の枕と同様に布袋の内部に適宜の充填材を充填して全体略矩形マット状に形成される。枕体２は、後述するように台座ブロック体３上に重ね合わせて用いることから、単独で使用する従来の枕よりもやや薄厚に形成したものを用いることが好ましい。枕体２は、現在最も用いられている４３×６３外形の枕とほぼ同等の大きさを基本とするが、適宜の大きさのものを用いることが可能である。枕体２は、充填材として、使用者７に対してほどよく変形して頭部８を支える硬さと好みの感触を与えるとともに通気性を有するものを用いることが好ましい。
【００１７】
枕体２は、従来の枕に用いられている充填材と同様に、そば殻、籾殻、パンヤ、羽毛、羽根、ラテックス等の天然素材や、パイプ形状、ビーズ形状、球形、そらまめ形状に形成されたプラスチック粒体或いはフォームラバー等の合成樹脂材等を単独或いはこれらを混合した充填材が用いられる。枕体２は、これら素材を選択するとともに例えばファスナ付きの布袋内に適宜の充填量を以って充填材を布袋内に充填することにより、高さや硬さ或いは感触が調整される。
【００１８】
枕体２には、図２に示すように幅方向の一方側に複数個の短冊状第１面ファスナ片１２（１２Ａ〜１２Ｃ）が設けられている。面ファスナは、周知のように例えば多数のフック状繊維を形成した係合シート体とパイル状或いはループ状繊維を形成した受けシート体により構成され、各シート体を押し付けることによりフックとパイルが絡み合って接合が行われるとともに、各シート体を引き剥がすことによりフックとパイルの絡み合いが解除されて分離することを可能とする。
【００１９】
各第１面ファスナ片１２は、例えば係合シート体を所定の幅で短冊状に切断し、フック形成面を表面側にして一端側を枕体２の底面に互いに所定の間隔を以って幅方向に並んで設けられる。枕体２は、詳細を後述するように各第１面ファスナ片１２を台座ブロック体３側に設けた第２面ファスナ片１３とともに背当てブロック体４側に設けた受け面ファスナシート１４に接合することにより、台座ブロック体３とともに背当てブロック体４に対して着脱自在かつ折り畳み自在に組み合わされる。
【００２０】
台座ブロック体３は、枕体２よりも硬くかつ弾力性や通気性を有する低反発素材、例えば発泡スチロール等の発泡樹脂材やウレタンフォーム等を素材にして形成される。台座ブロック体３は、使用者７が頭部８を枕体２に載せた状態でも多少の弾性変形を生じるがほとんど形状変化を生じることなく枕体２を支える硬さを有する素材により形成されることが好ましい。
【００２１】
台座ブロック体３は、図２及び図３に示すように、外形寸法が枕体２よりもややこぶりな横長矩形の平面形状とされるとともに縦幅方向の一方側を甲高として（甲高部３Ｂ）、他方（先端部３Ｃ）側に向かって次第にその高さが低くなるようにして傾斜主面３Ａを構成した全体略楔状のブロック体に形成される。台座ブロック体３は、後述するように甲高部３Ｂ側の側面３Ｄを突き合わせ面として背当てブロック体４と組み合わされる。
【００２２】
台座ブロック体３には、甲高部３Ｂ側において傾斜主面３Ａから突出する第１受け凸部半体１５が一体に形成される。第１受け凸部半体１５は、側面３Ｄに沿って傾斜主面３Ａに幅方向の全域に亘って所定の高さを有して一体に突出形成される。第１受け凸部半体１５は、先端部３Ｃ側から円弧状に立ち上がり側面３Ｄにおいて垂直面となる略１／４円形断面の凸部からなる。台座ブロック体３は、先端部３Ｃが薄厚であり、また第１受け凸部半体１５の最大高さが２５ｃｍ乃至３０ｃｍ程度となる厚みを以って形成される。
【００２３】
台座ブロック体３には、図２に示すように甲高部３Ｂ側の底面に短冊状の第２面ファスナ片１３（１３Ａ、１３Ｂ）が設けられている。各第２面ファスナ片１３も、上述した枕体２の第１面ファスナ片１２と同様に係合シート体を所定の幅で短冊状に切断し、フック形成面を表面側にして一端側を台座ブロック体３２の底面に互いに所定の間隔を以って幅方向に並んで設けられる。台座ブロック体３は、背当てブロック体４側に設けた受け面ファスナシート１４に接合することにより、枕体２とともに背当てブロック体４に対して着脱自在かつ折り畳み自在に組み合わされる。
【００２４】
各第２面ファスナ片１３は、詳細を後述するように背当てブロック体４に対して台座ブロック体３と枕体２を組み合わせた状態で、背当てブロック体４側に設けた受け面ファスナシート１４に接合される。各第２面ファスナ片１３は、受け面ファスナシート１４に対してそれぞれ枕体２の各第１面ファスナ片１２の間に位置して受け面ファスナシート１４に接合されるようにする。
【００２５】
以上のように構成した台座ブロック体３には、図１及び図３に示すように、傾斜主面３Ａ上に枕体２を載置する。台座ブロック体３は、ややこぶりの外形であることから枕体２の外周部が外側にはみでるようにして載置されるとともに、この枕体２が甲高部３Ｂ側においてやや高く先端部３Ｃ側に向かって次第に低くなる傾いた状態で載置されるようにする。なお、台座ブロック体３は、傾斜主面３Ａと上述した第１受け凸部半体１５の高さ寸法から、枕体２がさほど大きく傾いた状態で載置させるほどでも無い。
【００２６】
背当てブロック体４は、枕体２よりも硬くかつ台座ブロック体３よりも柔らかで弾力性や通気性を有する低反発素材、例えばウレタンフォーム等を素材にして形成される。背当てブロック体４は、図２及び図３に示すように、外形寸法が台座ブロック体３よりもやや大きい横長矩形の平面形状を有するとともに、縦幅方向の一方側を甲高として（甲高部４Ｂ）、他方（先端部４Ｃ）側に向かって次第にその高さが低くなるようにして傾斜主面４Ａを構成した全体略楔状のブロック体に形成される。
【００２７】
背当てブロック体４は、図１に示すように使用者７が頭部８を枕体２に載せて寝た状態で上半身部位を支えるに足る縦幅寸法を有するとともに、肩幅よりも大きな横幅を有して形成される。背当てブロック体４は、やや弾性変形することによりほどよい硬さで使用者７の上半身部位を支える。背当てブロック体４には、外周縁に沿って面取りが施されており、これにより使用者７の各部位が縁に当たって寝苦しさを感じさせないようにする。
【００２８】
背当てブロック体４は、甲高部４Ｂが台座ブロック体３の背高部３Ｂとほぼ同等の高さに形成される。背当てブロック体４は、後述するように甲高部４Ｂ側の側面４Ｄを突き合わせ面として台座ブロック体３と組み合わされる。背当てブロック体４にも、上述した台座ブロック体３の第１受け凸部半体１５と同様にして、甲高部４Ｂ側において傾斜主面４Ａから突出する第２受け凸部半体１６が一体に形成される。第２受け凸部半体１６も、側面４Ｄに沿って傾斜主面４Ａに幅方向の全域に亘って所定の高さを有して一体に突出形成される。第２受け凸部半体１６も、先端部４Ｃ側から円弧状に立ち上がり側面４Ｄにおいて垂直面となる略１／４円形断面の凸部からなる。
【００２９】
背当てブロック体４には、図２において点線で示すように甲高部４Ｂ側の底面に、パイル状或いはループ状繊維を形成した受けシート体からなる受け面ファスナシート１４が固定される。受け面ファスナシート１４は、パイル形成面を下側に向けて背当てブロック体４の底面に固定される。受け面ファスナシート１４には、上述した枕体２に設けた各第１面ファスナ片１２と台座ブロック体３に設けた各第２面ファスナ片１３の全体幅よりもやや大きな幅広の受けシート体が用いられる。
【００３０】
背当てブロック体４は、受け面ファスナシート１４に対して上述した枕体２の各第１面ファスナ片１２と台座ブロック体３の第２面ファスナ片１３を強く押し付けることにより枕体２と台座ブロック体３を一体化して枕装置１を構成する。背当てブロック体４は、受け面ファスナシート１４から各第１面ファスナ片１２と第２面ファスナ片１３を強く引き剥がすことにより、枕体２と台座ブロック体３の分離が行われる。
【００３１】
枕装置１においては、上述したように受け面ファスナシート１４に各第１面ファスナ片１２と各第２面ファスナ片１３の全体幅よりもやや大きな幅広の受けシート体が用いられる。枕装置１においては、枕体２と台座ブロック体３と背当てブロック体４を組み合わせた状態で、受け面ファスナシート１４に対して各第１面ファスナ片１２と各第２面ファスナ片１３が幅方向に交互に並んで接合することにより、接合部位において厚みが大きくならないようにするとともに廉価な片面型面ファスナが用いられるようにする。
【００３２】
なお、枕装置１においては、上述したように枕体２と台座ブロック体３側に係合シート体を短冊状に切断した第１面ファスナ片１２と第２面ファスナ片１３を設けるとともに背当てブロック体４側に受けシート体を設けたが、かかる構成に限定されない。枕装置１においては、枕体２と台座ブロック体３側に受けシート体により形成した第１面ファスナ片１２と第２面ファスナ片１３を用いるとともに背当てブロック体４側に係合シート体を用いるようにしてもよい。
【００３３】
枕装置１においては、枕体２が背当てブロック体４に対して、各第１面ファスナ片１２を受け面ファスナシート１４にそれぞれ押し付けて接合することにより組み合わされる。枕装置１においては、各第１面ファスナ片１２の先端側を受け面ファスナシート１４に接合することにより枕体２が背当てブロック体４と所定の間隔を以って組み合わされるようにする。枕装置１においては、例えば各第１面ファスナ片１２を湾曲させて枕体２を背当てブロック体４の傾斜主面４Ａ上に載せた状態にして、背当てブロック体４に対して台座ブロック体３を組み合わす。
【００３４】
枕装置１においては、台座ブロック体３と背当てブロック体４が、それぞれの甲高部３Ｂ、４Ｂを対向させて相対する側面３Ｄ、４Ｄを突き合わせて組み合わされる。枕装置１においては、各第２面ファスナ片１３が受け面ファスナシート１４に対して各第１面ファスナ片１２間に位置するようにして接合されることにより、台座ブロック体３と背当てブロック体４とを一体化する。枕装置１においては、各第１面ファスナ片１２を半体方向に湾曲させることにより図３鎖線で示すように枕体２を台座ブロック体３の傾斜主面３Ａ上に載置させる。
【００３５】
枕装置１においては、図３及び図４に示すように台座ブロック体３の第１受け凸部１５と背当てブロック体４の第２受け凸部１６が突き合わされ、これらが共同して幅方向の全域に亘って突出する断面略半円形の受け凸部５を構成する。枕装置１においては、台座ブロック体３と背当てブロック体４を組み合わせることにより、両側から次第に大きな高さとなる傾斜面を構成するとともに突き合わせ部位において受け凸部５を構成する。枕装置１においては、台座ブロック体３の傾斜主面３Ａ上に枕体２が、甲高部３Ｂ側においてやや高く先端部３Ｃ側に向かって次第に低くなる傾いた状態で載置される。
【００３６】
以上のように構成した枕装置１においては、図１に示すように敷き布団６上に載置されて用いられることにより、使用者７の各部位を自然な状態で支持する。枕装置１においては、使用者７の頭部７を枕体２により支持し、頸部９を受け凸部５により支持し、片口１０から背中１１を背当てブロック体４により支持する。枕装置１においては、枕体２と台座ブロック体３及び背当てブロック体４がそれぞれの機能に適合した硬さを異にする素材により形成され、枕体２と背当てブロック体４が使用者７の頭部８から頸部９と肩口１０を介して背中１１までの全域に亘ってフィットして保持する。枕装置１においては、使用者７の肩口１０からの風の入り込みを抑制して保温性の向上が図られるようにする。
【００３７】
枕装置１においては、図４に示すように枕体２が使用者７の頭部８を頂頭部８Ａ側に向かって次第に低い状態とするようにして支持する。枕装置１においては、適宜の硬さと高さを有する枕体２が、載せられた使用者７の頭部８に倣って変形することにより載置部位を柔らかく包み込む感触を以って保持する。なお、枕装置１においては、枕体２が頭部８の形状に倣って充填材が布袋内で移動して変形することから、台座ブロック体３の傾斜主面３Ａの傾斜角度ほどには頭部８を傾けさせることは無い。
【００３８】
枕装置１においては、枕体２よりも硬くかつ弾力性や通気性を有する低反発素材により形成された台座ブロック体３が枕体２を支えることで、いわゆる「フワフワ感」を抑制して使用者７の頭部８を安定した状態に保持する。なお、枕装置１においては、大きな外形を有する枕体２が台座ブロック体３の外周縁部を覆うように変形することにより、使用者７が寝返り等した場合でも枕体２が頭部８や肩口１０と台座ブロック体３とが直接当たらないように介在して寝心地が保持されるようにする。
【００３９】
枕装置１においては、図４に示すように台座ブロック体３と背当てブロック体４により構成した受け凸部５が枕体２を介して使用者７の頸部９をやや押し上げるようにして支持する。枕装置１においては、使用者７に対して受け凸部５により頸部９をやや押し上げた状態でしっかりと支持して首筋を伸ばすことにより、咽喉を開いて楽な呼吸やのどの渇きを抑制した状態で支持する。
【００４０】
枕装置１においては、枕体２よりも硬くかつ台座ブロック体３よりも柔らかな背当てブロック体４が、使用者７の上半身、すなわち肩口１０や背中１１に倣ってやや弾性変形するとともに適宜の反発力を作用させることにより、安定した状態に保持する。枕装置１においては、上述した形状を有する背当てブロック体４が、受け凸部５により押し上げた使用者７の頸部９に大きな曲げを生じさせずに無理の無い状態に保持する。枕装置１においては、背当てブロック体４がその傾斜主面４Ａにより使用者７の背中１１から肩口１０に向かって次第にゆるやかに持ち上げて背筋や腰を伸ばした姿勢とすることにより、肩こりや首或いは腰等の痛みの発生を抑制する。
【００４１】
枕装置１においては、未使用状態で背当てブロック体４に対して枕体２と台座ブロック体３を第１面ファスナ片１２と第２面ファスナ片１３を介して重ね合わせ状態に折り畳むことが可能である。枕装置１においては、これにより平面スペースをほぼ枕体２或いは背当てブロック体４の大きさに小型化されることでスペースの効率化と取り扱いの簡便性を図って押入等に収納する。
【００４２】
なお、枕装置１においては、上述したように背当てブロック体４に対して枕体２と台座ブロック体３が受け面ファスナシート１４に第１面ファスナ片１２と第２面ファスナ片１３を接合することにより一体化したが、かかる構成に限定されないことは勿論である。枕装置１においては、例えば上述した形状の台座ブロック体３と枕体２を布袋に収納して一体化し、これと背当てブロック体４とを面ファスナ或いは適宜の接合手段を介して一体化するように構成してもよい。
【図面の簡単な説明】
【００４３】
【図１】本考案の実施の形態として示す枕装置の使用状態の説明図である。
【図２】枕装置の分解斜視図である。
【図３】台座ブロック体と背当てブロック体を組み合わせた状態の斜視図である。
【図４】使用状態の要部側面図である。
【符号の説明】
【００４４】
１  枕装置、２  枕体、３  台座ブロック体、４  背当てブロック体、５  受け凸部、６  敷き布団、７  使用者、８  頭部、９  頸部、１０  背中、１１  肩口、１２  第１面ファスナ片、１３  第２面ファスナ片、１４  受け面ファスナシート、１５  第１受け凸部半体、１６  第２受け凸部半体
【図１】
0003132068.tif 000003
【図２】
0003132068.tif 000004
【図３】
0003132068.tif 000005
【図４】
0003132068.tif 000006